【手続補正書】
【提出日】平成29年1月13日(2017.1.13)
【手続補正１】
【補正対象書類名】特許請求の範囲
【補正対象項目名】全文
【補正方法】変更
【補正の内容】
【特許請求の範囲】
【請求項１】
通信装置であって、
通信相手装置と無線通信する通信手段と、
前記通信装置が通信可能なアクセスポイントを特定する特定手段と、
通信相手装置に前記特定手段で特定されたアクセスポイントを示す情報を、前記通信手段による無線通信を介して送信する送信手段と、
前記送信手段によりアクセスポイントを示す情報が送信された前記通信相手装置からアクセスポイントを指定する情報を、前記通信手段による無線通信を介して受信する受信手段と、
前記受信手段で受信した情報に基づいて設定処理を実行する設定手段を有し、
前記設定処理が実行された場合、前記通信装置は、前記受信手段で受信した情報に対応するアクセスポイントを介して無線通信を実行することを特徴とする通信装置。
【請求項２】
所定の通信モードを設定するモード設定手段を更に有し、
前記所定のモードが設定された場合、識別子を含むパケットが送信され、
前記パケットを受信した前記通信相手装置から接続要求を受信することで確立された無線接続を介して前記特定されたアクセスポイントを示す情報が前記通信相手装置に送信されることを特徴とする請求項１に記載の通信装置。
【請求項３】
前記所定の通信モードが設定された場合、前記通信装置がアクセスポイントとして動作する場合におけるＳＳＩＤを前記識別子として含むパケットが送信されることを特徴とする請求項２に記載の通信装置。
【請求項４】
前記設定手段による設定処理に従って、前記登録手段によりアクセスポイントがインフラストラクチャモードで動作する際に経由されるアクセスポイントとして登録されることを特徴とする請求項１乃至３のいずれか１項に記載の通信装置。
【請求項５】
前記受信手段で受信した情報に対応するアクセスポイントがインフラストラクチャモードで動作する際に経由されるアクセスポイントとして登録された場合、前記通信装置がインフラストラクチャモードに設定されることを特徴とする請求項４に記載の通信装置。
【請求項６】
前記モード設定手段は、前記所定の通信モードとして前記通信装置自身がアクセスポイントとして動作するソフトウェアアクセスポイントモードを設定することを特徴とする請求項２乃至５のいずれか１項に記載の通信装置。
【請求項７】
前記受信手段が前記アクセスポイントを指定する情報を受信した場合、前記ソフトウェアアクセスポイントモードが終了されることを特徴とする請求項６に記載の通信装置。
【請求項８】
前記受信手段は、前記アクセスポイントを指定する情報としてＳＳＩＤを受信することを特徴とする請求項１乃至６のいずれか１項に記載の通信装置。
【請求項９】
記録媒体上に画像を記録する印刷手段を更に備えることを特徴とする請求項１乃至８のいずれか１項に記載の通信装置。
【請求項１０】
前記通信装置がインフラストラクチャモードとして動作する前に、前記特定手段は、前記通信装置が通信可能なアクセスポイントを特定することを特徴とする請求項１乃至９のいずれか１項に記載の通信装置。
【請求項１１】
通信装置における制御方法であって、
通信相手装置と無線通信する通信工程と、
前記通信装置が通信可能なアクセスポイントを特定する特定工程と、
通信相手装置に前記特定工程で特定されたアクセスポイントを示す情報を、前記通信工程における無線通信を介して送信する送信工程と、
前記送信工程においてアクセスポイントを示す情報を送信した通信相手装置からアクセスポイントを指定する情報を、前記通信手段による無線通信を介して受信する受信工程と、
前記受信工程で受信した情報に基づいて設定処理を実行する設定工程を有し、
前記設定処理が実行された場合、前記通信装置は、前記受信工程で受信した情報に対応するアクセスポイントを介して無線通信を実行することを特徴とする制御方法。
【請求項１２】
通信装置のコンピュータを、
通信相手装置と無線通信する通信手段と、
前記通信装置が通信可能なアクセスポイントを特定する特定手段と、
通信相手装置に前記特定手段で特定されたアクセスポイントを示す情報を、前記通信手段による無線通信を介して送信する送信手段と、
前記送信手段によりアクセスポイントを示す情報を送信した通信相手装置からアクセスポイントを指定する情報を、前記通信手段による無線通信を介して受信する受信手段と、
前記受信手段で受信した情報に基づいて設定処理を実行する設定手段として機能させ、
前記設定処理が実行された場合、前記通信装置は、前記受信手段で受信した情報に対応するアクセスポイントを介して無線通信を実行することを特徴とする前記コンピュータが読取可能なプログラム。
【請求項１３】
所定の通信モードを設定するモード設定手段として更に機能させ、
前記所定のモードが設定された場合、識別子を含むパケットが送信され、
前記パケットを受信した前記通信相手装置から接続要求を受信した場合における前記通信相手装置と前記通信装置間の無線通信を介して前記特定されたアクセスポイントを示す情報が前記通信相手装置に送信されることを特徴とする請求項１２に記載のプログラム。
【請求項１４】
前記所定の通信モードが設定された場合、前記通信装置がアクセスポイントとして動作する場合におけるＳＳＩＤを前記識別子として含むパケットが送信されることを特徴とする請求項１３に記載のプログラム。
【請求項１５】
前記設定手段による設定処理に従って、前記受信手段で受信した情報に対応するアクセスポイントがインフラストラクチャモードで動作する際に経由されるアクセスポイントとして登録されることを特徴とする請求項１２乃至１４のいずれか１項に記載のプログラム。
【請求項１６】
前記受信手段で受信した情報に対応するアクセスポイントがインフラストラクチャモードで動作する際に経由されるアクセスポイントとして登録された場合、前記通信装置がインフラストラクチャモードに設定されることを特徴とする請求項１５に記載のプログラム。
【請求項１７】
前記モード設定手段は、前記所定の通信モードとして前記通信装置自身がアクセスポイントとして動作するモードとしてソフトウェアアクセスポイントモードを設定することを特徴とする請求項１３乃至１６のいずれか１項に記載のプログラム。
【請求項１８】
前記受信手段が前記アクセスポイントを指定する情報を受信した場合、前記ソフトウェアアクセスポイントモードが終了されることを特徴とする請求項１７に記載のプログラム。
【請求項１９】
前記受信手段は、前記アクセスポイントを指定する情報としてＳＳＩＤを受信することを特徴とする請求項１２乃至１８のいずれか１項に記載のプログラム。
【請求項２０】
前記通信装置のコンピュータを、
さらに記録媒体上に画像を記録する印刷手段として機能させるための請求項１２乃至１９のいずれか１項に記載のプログラム。
【請求項２１】
前記通信装置がインフラストラクチャモードとして動作する前に、前記特定手段は、前記通信装置が通信可能なアクセスポイントを特定することを特徴とする請求項１２乃至２０のいずれか１項に記載のプログラム。
【手続補正２】
【補正対象書類名】明細書
【補正対象項目名】０００７
【補正方法】変更
【補正の内容】
【０００７】
上記課題を解決するために、本発明の通信装置は、通信相手装置と無線通信する通信手段と、前記通信装置が通信可能なアクセスポイントを特定する特定手段と、通信相手装置に前記特定手段で特定されたアクセスポイントを示す情報を、前記通信手段による無線通信を介して送信する送信手段と、前記送信手段によりアクセスポイントを示す情報が送信された前記通信相手装置からアクセスポイントを指定する情報を、前記通信手段による無線通信を介して受信する受信手段と、前記受信手段で受信した情報に基づいて設定処理を実行する設定手段を有し、前記設定処理が実行された場合、前記通信装置は、前記受信手段で受信した情報に対応するアクセスポイントを介して無線通信を実行することを特徴とする。